(57)【要約】      （修正有）【課題】より省電力効果の高い画像形成装置を提供する。【解決手段】省電力モードからの復帰処理が開始されると、省電力モードからの復帰操作があったかどうかを確認する（Ｓ１０１）。復帰操作が発生したのを確認すると、一次復帰処理を行う（Ｓ１０２）。一次復帰処理で、制御部は電源制御部へ指示し、以降の復帰処理動作に必要なブロックへ給電する。制御部は、使用履歴記憶部に格納されているユーザ使用履歴情報を読み出す（Ｓ１０６）。その後、動作モード決定処理を行う（Ｓ１０８）。動作モード決定処理が終了すると、復帰処理を行う（Ｓ１１０）。復帰処理では、Ｓ１０８で決定した動作モードで動作するのに必要なブロックへの給電を行う。このとき、印刷動作モードに不必要なブロックに対しては、電力が供給されない。【選択図】図４
2018083322.tif 000002
【特許請求の範囲】
【請求項１】
消耗品を使用して画像を記録することが可能な画像形成装置であって、
前記消耗品を使用することで画像を記録する記録手段と、
前記記録手段への電源の供給を制御する制御手段と、を備え、
前記制御手段は、前記消耗品の残量に基づいて、前記記録手段に電源の供給を行うか否かの切り替え、または前記記録手段への電力量の変更を行うことを特徴とする画像形成装置。
【請求項２】
ユーザの使用履歴情報を記憶する記憶部を更に備え、
前記制御手段は、前記記憶部が記憶している情報と前記消耗品の残量に基づいて、前記記録手段に電源の供給を行うか否かの切り替え、または前記記録手段への電力量の変更を行うことを特徴とする請求項１に記載の画像形成装置。
【請求項３】
前記記憶部が記憶している情報に基づいて、複数の動作モードから動作モードを決定する動作モード決定手段を更に備え、
前記動作モード決定手段は、前記消耗品の残量に基づいて動作モードを決定し、前記制御手段は、前記動作モード決定手段が決定した動作モードの動作に必要な部分に、選択的に電源の供給を行い、
前記動作モード決定手段により前記記録手段が使用されない動作モードが決定された場合、前記記録手段に電源が供給されないことを特徴とする請求項２に記載の画像形成装置。
【請求項４】
前記複数の動作モードは、消費電力を低減することが可能な省電力動作モード、前記記録手段による記録動作を行う記録動作モード、画像の読み取り行うスキャン動作モード、を含み、外部からの復帰の要求を受け取ると、前記省電力動作モードから、前記動作モード決定手段が決定した動作モードに復帰することを特徴とする請求項３に記載の画像形成装置。
【請求項５】
前記動作モード決定手段が決定した動作モードで使用する消耗品の残量が無い場合、消耗品残量が無いことをメッセージ表示することを特徴とする請求項３または請求項４に記載の画像形成装置。
【請求項６】
ユーザを認識するユーザ認識手段を更に備えていることを特徴とする請求項３ないし請求項５のいずれか１項に記載の画像形成装置。
【請求項７】
前記動作モード決定手段は、前記ユーザ認識手段が認識したユーザの最も使用頻度の高い動作モードを選択することを特徴とする請求項６に記載の画像形成装置。
【請求項８】
前記記憶部には、ユーザＩＤ、使用した動作モード、最大の使用回数の動作モード、動作モードにおける消耗品使用量、最大消耗品使用量に関する情報が記憶されていることを特徴とする請求項２ないし請求項７のいずれか１項に記載の画像形成装置。
【請求項９】
前記消耗品の残量と、前記記憶部に記憶された最大消耗品使用量とを比較することを特徴とする請求項８に記載の画像形成装置。
【請求項１０】
前記記録手段は、インクを記録メディアに吐出して記録を行い、
前記消耗品はインクまたは記録メディアであることを特徴とする請求項１ないし請求項９のいずれか１項に記載の画像形成装置。
【発明の詳細な説明】
【技術分野】
【０００１】
本発明は、消耗品を使用して画像を記録することが可能な画像形成装置に関する。
【背景技術】
【０００２】
従来、原稿読み取り機能、画像形成機能など複数の機能を持つ多機能画像形成装置では、消費電力削減のために通常動作モードとは異なる省電力モードを備えているものがある。特許文献１には、省電力効率を高めるために、省電力モードから通常動作モードに戻る復帰処理を行う際、各機能に対して選択的に給電を行う画像形成装置が開示されている。具体的には、特許文献１の画像形成装置は、ユーザ認証部を備え、ユーザ認証部で取得した識別情報を参照して、画像形成装置の各部への給電を決定する。給電箇所を決定する際には、ユーザの使用履歴を参照し、使用操作推測部で使用される確率が高い機能を推測する。推測する方法として、所定期間内に、所定回数以上の使用履歴がある機能などから推測する方法が開示されている。この方法によって、ユーザの利便性を損なわず、省電力化を図ることができる。
【先行技術文献】
【特許文献】
【０００３】
【特許文献１】特開２００６−２１８８１０号公報
【発明の概要】
【発明が解決しようとする課題】
【０００４】
しかし、ユーザの使用履歴情報を使って使用操作推測部で推測した結果、給電箇所を決定しても、決定した給電箇所を使用するための消耗品の残量がない場合がある。その場合、事実上該当機能を使用できないにも関わらず給電は行われるため、省電力の効果が十分に発揮されないという課題がある。
【０００５】
よって本発明は、より省電力効果の高い画像形成装置を提供することを目的とする。
【課題を解決するための手段】
【０００６】
そのため本発明の画像形成装置は、消耗品を使用して画像を記録することが可能な画像形成装置であって、前記消耗品を使用することで画像を記録する記録手段と、前記記録手段への電源の供給を制御する制御手段と、を備え、前記制御手段は、前記消耗品の残量に基づいて、前記記録手段に電源の供給を行うか否かの切り替え、または前記記録手段への電力量の変更を行うことを特徴とする。
【発明の効果】
【０００７】
本発明によれば、より省電力効果の高い画像形成装置を実現することができる。
【図面の簡単な説明】
【０００８】
【図１】画像形成装置の構成とコピー動作モードの給電状態を示すブロック図である。
【図２】省電力モードにおける給電状態を示すブロック図である。
【図３】スキャン動作モードおける給電状態を示すブロック図である。
【図４】省電力モードからの復帰処理の流れを示すフローチャートである。
【図５】動作モードを決定する処理の流れの詳細を示すフローチャートである。
【発明を実施するための形態】
【０００９】
以下、図面を参照して本発明の実施の形態について説明する。  
図１は、本実施形態を適用可能な、多機能画像形成装置（以下、マルチ・ファンクション・プリンタの頭文字をとってＭＦＰともいう）１０１の構成とコピー動作モードの給電状態を示すブロック図である。表示部１０２は、ユーザに対する各種のメッセージや操作方法、ＭＦＰの状態をグラフィック画面として表示し、表示デバイスとしてＬＣＤパネルなどを用いる。操作部１０３は、ユーザがＭＦＰ１０１に対して操作指示が可能に構成されており、キーやボタン、タッチパネルなどから構成される。スキャナ部１０４は、原稿をイメージスキャナを用いて読み取り、デジタルデータへ変換する。
【００１０】
ドキュメントフィーダ１０５は、スキャナ部１０４と連動して動作し、投入されたドキュメントを１枚ずつスキャナ部１０４の原稿読み取り部分へ移動させ、原稿読み取り後、次のドキュメントをフィードする。ユーザＩＤ読み取り部（ユーザ認識手段）１０６は、ユーザが提示する認証用のＩＤカードから認証情報を読み取り、近距離無線ＩＣタグなどを読み取るリーダーを備える。インタフェース部１１０は、有線ＬＡＮ、無線ＬＡＮ、ＵＳＢなど他の機器と通信するためのインタフェースを備えており、接続されたホストＰＣやネットワーク上の機器からの記録要求などを受け取ることができる。また、インタフェース部１１０は、ＭＦＰ１０１のスキャナ部１０４で読み込んだ原稿データを外部機器へ送信することができる。
【００１１】
ユーザＩＤ記憶部１１１は、予め登録されたユーザＩＤ情報を格納する。ハードディスク１１４は、スキャナ部１０４で読み取った原稿データの一次的な格納場所として使用可能である。また、外部機器から受信した記録用データを格納したのち、記録用データを読み出して記録する用途にも使われる。その他、後述する制御部１０７で実行するＯＳやアプリケーションプログラムの格納に使われる。使用履歴記憶部１１５は、ＭＦＰ１０１を使用したユーザと、そのユーザがどういう機能をいつ使用し、過去に何回使用したか、各消耗品を使用した量を記憶する。なお、使用履歴記憶部１１５は、不揮発性メモリで構成され、半導体デバイスまたはハードディスクで構成してもよく、ハードディスク１１４の一部領域を使用する形態でもよい。
【００１２】
プリントヘッド１０８は、複数の吐出口を備えており、インクを吐出口から吐出し、印刷用紙等の記録メディア上に画像を形成する（記録メディア上にインクを付与することで画像を形成する）。１色のインクが複数の吐出口に割り当てられ、複数色のインクを多数の吐出口から突出して画像を形成する。インク供給部１１８は、インクタンクを備え、インクタンク内のインク（第１材料）をプリントヘッド１０８に供給する。ソータ／フィニッシャ１０９は、プリントヘッド１０８から吐出したインクで記録メディア（第２材料）上に画像を記録したメディアを、記録部別にソートする機能を有する。また、フィニッシャ１０９は、ステープラを用いて、記録済みの記録メディアを束ねて製本処理を行う。インク定着部１１３は、ヒータやファンを備え、記録メディアに吐出されたインクを乾燥してインクを定着させる。メディア供給部１１９は、記録メディアを供給するカセットである。
【００１３】
本実施形態における多機能画像形成装置１０１は、消耗材等の消耗品を管理する消耗品残量管理部１１７を備えている。本実施形態における消耗材とは、例えば印刷に使用される記録材であるインク、また印刷が行われる印刷用紙等の記録メディアである。消耗品残量管理部１１７は、インク供給部１１８内のインク残量とメディア供給部１１９内のメディア残量情報と、を図中破線で示した経路で取得し管理する。なお、消耗品残量管理部１１７は、インクと記録メディアの他に消耗品がある場合には、その消耗品の残量情報を管理してもよい。電源ユニット１１６は、商用ＡＣ電源から機器内で使用するＤＣ電源を生成する。電源制御部１１２は、電源ユニット１１６から機器内に配線される電源系統のオン、オフを制御し、図示しない電源用スイッチやＦＥＴなどに制御信号を与えることで電源制御を行う。
【００１４】
制御部１０７は、各種ブロックと通信し、ＭＦＰ１０１全体の動作制御、電源制御などを行う。また、制御部１０７は、内部に図示しないＡＳＩＣ、ＲＯＭ、ＲＡＭ、電源制御回路、各ブロック接続回路などを備える。ＡＳＩＣは、内部にＣＰＵ、記録画像処理回路、スキャン画像処理回路、操作部制御回路、表示部制御回路、ＡＳＩＣ内部電源制御回路、外部インタフェース回路などを備え、ＲＯＭに格納されたプログラムに従い動作する。プログラムには、各種動作モードにおける制御プログラム、省電力移行プログラム、省電力復帰プログラムや各ブロック制御プログラムなどが含まれる。ＡＳＩＣ内部の回路は、機能ブロック別に電源を個別にオン・オフ可能に構成されている。省電力動作モード期間中、スキャン動作モード期間中など、その期間中使用しない機能回路の電源を、ＡＳＩＣ内部でオフすることで、ＡＳＩＣの消費電力を低減することができる。
【００１５】
図１における白色のブロックは、給電状態であることを示しており、図１では全てのブロックに給電している。この状態のＭＦＰ１０１では、スキャンするための原稿をドキュメントフィーダ１０５を使ってスキャナ部１０４へ送り、スキャンしたデータをハードディスク１１４へ一次格納する。その後、ハードディスク１１４からスキャンしたデータを読み出し、制御部１０７で記録用の画像処理を行った後、プリントヘッド１０８からインクを突出して記録メディア上に画像を形成する。その際、図中のブロックを全て使用する。
【００１６】
図２は、ＭＦＰ１０１の省電力モードにおける給電状態を示すブロック図である。図中、灰色のブロックには給電されておらず電源が遮断されている。白色のブロックは給電状態にあり、省電力モードから復帰するためのイベント検出と電源供給と電源供給制御に必要な最低限のブロックのみに給電している。
【００１７】
図３は、ＭＦＰ１０１のスキャン動作モードおける給電状態を示すブロック図である。図２と同様、図中、灰色のブロックは電源が遮断されていることを示している。白色のブロックは給電状態にあり、スキャン動作に必要なスキャナ部１０４、ドキュメントフィーダ１０５は給電されている。一方、スキャン動作モードでは、記録に必要な機能ブロックは電源を遮断して、電力の消費を抑制している。
【００１８】
図４は、省電力モードからの復帰処理の流れを示すフローチャートである。以下、このフローチャートを用いて省電力モードからの復帰処理を説明する。省電力モードからの復帰処理が開始されると、Ｓ１０１で、省電力モードからの復帰操作があったかどうかを確認する。復帰操作が無ければ、復帰操作が発生するまで確認を繰り返す。復帰操作が発生したのを確認すると、Ｓ１０２で、一次復帰処理を行う。一次復帰処理で、制御部１０７は電源制御部１１２へ指示し、以降の復帰処理動作に必要なブロックへ給電する。具体的には、消耗品残量管理部１１７、表示部１０２、ユーザＩＤ読み取り部１０６、ユーザＩＤ記憶部１１１、使用履歴記憶部１１５の各ブロックに給電する。
【００１９】
その後、Ｓ１０３で、制御部１０７は、消耗品残量管理部１１７から消耗品残量情報を取得し、Ｓ１０４で、ユーザＩＤ読み取り部１０６からユーザＩＤ情報を読み取る。そして、Ｓ１０５でＩＤ認証を行う。ＩＤ認証では、制御部１０７がＳ１０４で取得したユーザＩＤ情報を、ユーザＩＤ記憶部１１１に予め格納されているユーザＩＤ情報と比較し、一致するユーザＩＤがあるかどうかを判定する。ユーザＩＤ記憶部１１１に一致するユーザＩＤがあれば、認証ＯＫと判定し、Ｓ１０６へ進み、一致するユーザＩＤが無い場合、ＩＤ認証ができないものとして処理を終了する。
【００２０】
Ｓ１０５からＳ１０６に移行した場合、Ｓ１０６で、制御部１０７は、使用履歴記憶部１１５に格納されているユーザ使用履歴情報を読み出す。その後Ｓ１０８で、動作モード決定処理を行う。この動作モード決定処理については後述する。動作モード決定処理が終了すると、Ｓ１１０で、復帰処理を行う。復帰処理では、Ｓ１０８で決定した動作モードで動作するのに必要なブロックへの給電を行う。例えば、Ｓ１０８で決定した動作モードがスキャン動作モードである場合、電源制御部１１２は、スキャナ部１０４とドキュメントフィーダ１０５に給電を行い、給電後に必要な各ブロックの初期化処理を実行する。このとき、スキャン動作モードに不必要なブロックに対しては、電力が供給されない。同様に、Ｓ１０８で決定した動作モードが印刷動作モードの場合、電源制御部１１２は、プリントヘッド１０８、ソータ／フィニッシャー１０９、インク定着部１１３、インク供給部１１８、メディア供給部１１９に電力を供給する。このとき、印刷動作モードに不必要なブロックに対しては、電力が供給されない。
【００２１】
その後、Ｓ１１１で、制御部１０７は、復帰後の動作モード（本実施形態ではスキャン動作モード）を表示部１０２に表示する。また、変更可能な動作モードの候補も表示する。そして、Ｓ１１２で、制御部１０７は、操作部１０３から入力された指示が、動作モード変更要求かどうかを判定する。変更要求がある場合は、Ｓ１１３へ移行し、変更要求がない場合は、Ｓ１１６へ移行する。
【００２２】
Ｓ１１２からＳ１１３に移行した場合、Ｓ１１３で、制御部１０７は、変更要求のあった動作モードを復帰する動作モードとして設定する。その後、Ｓ１１４で、Ｓ１１３で決定された動作モードで動作するための復帰処理を行う。制御部１０７は、Ｓ１１３において決定された動作モードで動作するために必要なブロックに対して電源を供給するように電源制御部１１２に指示を与え、給電後に必要な各ブロックの初期化を実行する。そして、Ｓ１１５で、制御部１０７は、復帰後の動作モードを表示部１０２に表示する。その後、Ｓ１１６に移行する。
【００２３】
Ｓ１１２から、あるいはＳ１１５からＳ１１６に移行した場合、Ｓ１１６において、復帰後の動作モードで実際に動作処理を行う。その後Ｓ１１７で、Ｓ１１６で実行した動作処理の内容を履歴情報として更新する。履歴情報には、ユーザＩＤと使用した動作モード、動作モードにおける実行内容詳細を含んでいる。実行内容詳細は、例えば、カラーモードでコピーを何枚取った、ドキュメントを何枚スキャンし、どの宛先に向かって送ったという情報に加え、消耗品をどの程度使ったかという情報を含んでいる。
【００２４】
図５は、省電力モードからの復帰処理の中で動作モードを決定する処理（図４のＳ１０８）の流れの詳細を示すフローチャートである。以下、このフローチャートを用いて、省電力モードからの復帰処理の中で動作モードを決定する処理について説明する。
【００２５】
省電力モードからの復帰処理の中で動作モードを決定する処理が開始されると、Ｓ２０１で、ユーザ使用履歴があるかどうか確認する。具体的には、図４のＳ１０６で、使用履歴記憶部１１５から読み出したユーザ使用履歴情報に、図４のＳ１０４で取得したユーザＩＤを持つユーザの使用履歴があるかを確認する。ユーザ使用履歴がなければ、Ｓ２０３へ移行し、予め設定されたデフォルトの動作モードを選択する。その後、Ｓ２１６に移行して、選択した動作モードで使用する消耗品の残量があるかを確認し、消耗品の残量があれば、Ｓ２０９に移行して動作モードを決定する。消耗品の残量が無ければ、Ｓ２１７に移行して、消耗品残量が無いことを表示部１０２に表示させ、その後、Ｓ２０９に移行して動作モードを決定する。
【００２６】
Ｓ２０１で、ユーザ使用履歴がある場合、Ｓ２０２に移行して、使用履歴記憶部１１５から読み出したユーザ使用履歴情報の中から、最大の使用回数の（最も使用頻度の高い）動作モードを検索して抽出する。このように、ユーザの最も使用頻度の高い動作モードを選択することで、ユーザの利便性を損なわず、省電力効果を高めることができる。その後、Ｓ２０４で、抽出した動作モードが１種類かどうかを判定する。抽出した動作モードが１種類でない場合、Ｓ２０５で、直近で使った動作モードを選択し、Ｓ２０５１に移行する。Ｓ２０４で抽出した動作モードが１種類の場合は、Ｓ２０４からＳ２０５１に移行する。
【００２７】
Ｓ２０５１では、選択された動作モードが消耗品を使用するモードかどうかを判定する。例えば、動作モードとしてスキャン動作モードが選択された場合、インク、記録メディアなどの消耗品は使用しない。一方、動作モードとして、コピー動作モードやプリント動作モード（記録動作モード）などが選択された場合、インク、記録メディアなどの消耗品を使用する。消耗品を使用する場合には、ステップ２０６に移行して、選択された動作モードで、使用する消耗品の残量があるかを判定する。選択した動作モードで使用する分の消耗品残量が無い場合、Ｓ２０６からＳ２１０へ移行し、制御部１０７は選択された動作モードで使用する消耗品残量が無いことを表示部１０２に表示してユーザへメッセージとして伝える（メッセージ表示）。その後、Ｓ２１１で、ユーザ使用履歴情報の中からまだ選択していない動作モードの中で、使用回数最大の動作モードを検索して抽出する。その後、Ｓ２１２で、抽出した動作モードが１種類かどうかを判定する。抽出した動作モードが１種類未満（動作モードが無し）の場合、Ｓ２１５に移行して、予め設定されたデフォルトの動作モードを選択し、Ｓ２１６へ移行する。Ｓ２１６以降は前述した処理を行う。
【００２８】
Ｓ２１２で、抽出した動作モードが１種類以上の場合、Ｓ２１３に移行して、抽出した動作モードが１種類かどうかを判断する。１種類であれば、Ｓ２０５１に戻り処理を繰り返す。１種類でなければ、Ｓ２１４に移行して、Ｓ２１１で検索された複数の動作モードのうちの直近で使った動作モードを選択し、Ｓ２０５１に移行する。
【００２９】
Ｓ２０６で、選択した動作モードで使用する分の消耗品の残量があれば、Ｓ２０７に移行して、選択された動作モードでのユーザ使用履歴情報に含まれている、消耗品の最大使用量と消耗品の残量とを比較する。ユーザ使用履歴情報には、ユーザにより指示された１つの印刷ジョブに対して使用された消耗品の使用量が履歴として記録される。上記の最大使用量は、そのユーザによる複数の印刷ジョブのそれぞれに対応する使用量のうちの、最大の使用量である。上記比較の結果、消耗品の残量が消耗品の最大使用量より多ければ、Ｓ２０９に移行して動作モードを決定して終了となる。Ｓ２０７で、消耗品の残量が最大消耗品使用量以下であれば、Ｓ２０８に移行して、消耗品が足りないことを表示部１０２に表示させ、その後、Ｓ２０９に移行して動作モードを決定して終了となる。Ｓ２０５１で、消耗品を使用しない場合、Ｓ２０５１からＳ２０９に移行して動作モードを決定して終了となる。
【００３０】
このように、ユーザは省電力モードのプリンタに自分のＩＤ情報を読み込ませるだけで、自分が頻繁に使う機能の動作モードで、かつ消耗品の不足が無い状態の動作モードで復帰するので、煩雑な操作を強いられることがない。さらに、Ｓ２０５で選択された、ユーザが最近使った動作モードで使用される消耗品の残量が無い場合（Ｓ２０６でＮｏ）、その動作モードが選択されない（Ｓ２１１）。そして、図４のＳ１１０では、選択された動作モードに不必要なブロックに対して電力は供給されない。即ち、制御部１０７は、選択された動作モードで使用される消耗材の残量に応じて、該動作モードで使用されるブロックへ電力を供給するか否かを切り替えていた。
【００３１】
そのため、消耗品の残量がなく、実際には動作できない動作モードのためのブロックに、不必要に電力が供給されることを防ぐことができる。このように、合理的な範囲で、無駄な機能を復帰させることなく、すぐに必要な機能での使用を開始するため、省電力効果を高めることができる。
【００３２】
なお、上述の説明では、コピー動作モード、スキャン動作モードというように大まかな動作モード時の電源状態を示したが、それぞれの動作をさらに分類しても良い。例えば、コピー動作モードであっても、ソータ／フィニッシャを必要としない時は、ソータ／フィニッシャ１０９に給電しないように制御可能である。また、スキャン動作モードであってもドキュメントフィーダを必要としない時は、ドキュメントフィーダ１０５に給電しないように制御可能である。このように細かく給電する箇所を制御することで、省電力効果を高めることが可能である。
【００３３】
さらに、復帰時に選択された動作モードが、消耗品を使用する動作モードであり、かつ予測される消耗品使用量に対して残量が不足している場合、自動的に記録設定を変更するように構成可能である。例えば、インク残量が不足している場合、記録設定をドラフト記録モードや間引き記録モード、モノクロモードなどに変更することによって、インク消費量を低減させ、記録可能なページ数を増やすことができる。また、記録メディアが不足している場合、１ページに複数のページを割りつけて記録する多面付け記録設定や両面記録設定に変更することによって、記録メディア消費量を低減させ、記録可能なページ数を増やすことができる。また、インク消費量低減と記録メディア低減の両方を組み合わせてもよい。記録設定を変更する場合、設定変更内容を表示部に表示し、ユーザに選択を促すように構成可能である。このような、記録設定変更制御を行うことにより、ユーザの利便性をさらに高めることが可能となる。
【００３４】
このように、インクや記録メディア等の消耗品の残量を検知する残量検知手段を備え、その残量検知手段の検知結果に基づいて、動作モードを決定し、決定した動作モードの動作で必要な機能に選択的に電源を供給する。これによって、ユーザの利便性を損なわず、省電力効果の高い多機能画像形成装置を実現することができた。
【００３５】
なお、上記の実施形態では、消耗品の残量がなく実際には動作できない動作モードのためのブロックに対しては、給電が行われないようにするための制御が実行された。即ち、制御部１０７は、選択された動作モードで使用される消耗材の残量に応じて、該動作モードで使用されるブロックへ電源を供給するか否かを切り替えていた。
【００３６】
しかしこれに限らず、消耗品の残量がなく実際には動作できない動作モードのためのブロックに対して、その消耗品の残量が多い場合よりも少ない電力が供給されるようにしてもよい。即ち、制御部１０７が、選択された動作モードで使用される消耗材の残量に応じて、該動作モードで使用されるブロックへ供給される電力量を変更してもよい。この場合でも、消耗品の残量に応じた電力供給が可能であり、それにより省電力効果を得ることができる。
【符号の説明】
【００３７】
１０１  多機能画像形成装置
１０２  表示部
１０７  制御部
１１１  ユーザＩＤ記憶部
１１２  電源制御部
１１５  使用履歴記憶部
１１７  消耗品残量管理部
１１８  インク供給部
１１９  メディア供給部
【図１】
2018083322.tif 000003
【図２】
2018083322.tif 000004
【図３】
2018083322.tif 000005
【図４】
2018083322.tif 000006
【図５】
2018083322.tif 000007